(57)【要約】【課題】  使用材料が少量で済み、板状物品に傷が付くことを確実に防止できるとともに、板状物品の持ち運びがし易くなる梱包材およびそれを用いた梱包方法を提供すること。【解決手段】  梱包材１０を、建具１１の側端面１１ａ側部分の表裏面および底面に沿い、建具１１の側端面１１ａ側に位置する端部を側端面１１ａに合わせるかまたは側端面１１ａよりも外側に突出するようにして取り付けられる可撓性を備えた帯状部１３と、建具１１の側端面１１ａに沿って取り付けられる突条からなる端面保護部１４とで構成した。また、梱包材１０を段ボールで構成し、段ボールの中芯１５の波型形状が梱包材１０の長手方向に沿った端面に現れるようにした。そして、ビニール袋１２で被覆した建具１１両側縁部に、梱包材１０を取り付け、建具１１に取り付けられたそれぞれの梱包材１０とビニール袋１２とを粘着テープ１６によって固定した。【選択図】  図１
2006143287.tif 000002
【特許請求の範囲】
【請求項１】
板状物品の側端面側部分の少なくとも表裏面に沿って取り付けられる梱包材であって、
前記板状物品の側端面側に位置する端部を前記側端面の縁部に合わせるかまたは前記側端面の縁部よりも外側に突出させた状態で取り付けられる帯状部と、前記板状物品の側端面に沿って取り付けられる端面保護部とを備えたことを特徴とする梱包材。
【請求項２】
前記帯状部が可撓性を備えた材料で構成され、前記板状物品の側端面側部分の底面および上端面のうちの少なくとも底面にも沿って取り付けられる請求項１に記載の梱包材。
【請求項３】
前記帯状部における前記板状物品の底面に位置する部分の下面に所定の厚みを有する底面保護部を設けた請求項２に記載の梱包材。
【請求項４】
前記板状物品の側端面側部分の下部側部分に取り付けられる下部梱包材と、前記板状物品の上部側部分に取り付けられる上部梱包材とで構成される請求項１ないし３のうちのいずれか一つに記載の梱包材。
【請求項５】
前記端面保護部が、前記帯状部の一面における長手方向の縁部に沿って設けられた突条で構成されている請求項１ないし４のうちのいずれか一つに記載の梱包材。
【請求項６】
前記端面保護部が、前記帯状部の一面における長手方向の縁部に沿って所定間隔で設けられた複数の突部で構成されている請求項１ないし４のうちのいずれか一つに記載の梱包材。
【請求項７】
前記帯状部および前記端面保護部のうちの少なくとも前記帯状部を段ボールで構成し、前記段ボールの中芯の波型形状が前記帯状部の長手方向に沿った端面に現れるようにした請求項１ないし６のうちのいずれか一つに記載の梱包材。
【請求項８】
前記板状物品が建具である請求項１ないし７のうちのいずれか一つに記載の梱包材。
【請求項９】
請求項１ないし８に記載の梱包材を用いて板状物品の梱包を行う梱包方法であって、
前記板状物品をシート体で被覆する被覆工程と、
前記シート体で被覆された板状物品の両側縁部に、前記梱包材を取り付ける梱包材取付工程と、
前記板状物品の両側縁部に取り付けられたそれぞれの梱包材と前記シート体、または前記板状物品と前記板状物品の両側縁部に取り付けられた梱包材とを固定部材によって固定する固定工程と
を備えたことを特徴とする梱包方法。
【請求項１０】
前記固定工程で行われる固定が、前記板状物品の両側縁部に取り付けられたそれぞれの梱包材と前記シート体との固定であり、前記固定部材が粘着テープである請求項９に記載の梱包方法。
【請求項１１】
前記梱包材を用いて梱包される板状物品が互いの表面または裏面を対面させて梱包される複数個のもので構成され、隣接する板状物品の側端面に端面保護部を位置させた状態で、前記隣接する板状物品間に帯状部を挟み込んだ請求項９または１０に記載の梱包方法。
【発明の詳細な説明】
【技術分野】
【０００１】
本発明は、建具等の板状物品を梱包する際に用いる梱包材およびそれを用いた梱包方法に関する。
【背景技術】
【０００２】
従来から、ドアや襖のような建具等からなる板状物品を、所定の場所に保管したり、搬送したりする際には、板状物品が傷付くことを防止するために梱包することが行われている。このような場合に、段ボール等の梱包材で板状物品の表面の殆どの部分を被覆して、その周囲をバンドや紐で縛ることも行われているが、これによると、梱包材料の使用量が多くなってコストが高くなったり、梱包作業が面倒になったりするという問題がある。また、板状物品の形状に合わせて梱包材を加工しなければならないため面倒な加工作業が必要になるという問題や、使用済みの梱包材の廃棄に伴って環境汚染が生じるという問題もある。
【０００３】
このような問題を解決するために、建具における傷が付き易い角部や所定の縁部だけを梱包する梱包材も開発されている（例えば、特許文献１参照）。この梱包材は、建具の角部に使用される部材と、直線状の縁部の所定部分に使用される部材との２種類の部材で構成されている。そして、角部に使用される部材は、床面等に倒した状態の建具の角部における上面に配置される上板と、下面に配置される下板と、角部の両端面に沿った状態で配置され上板と下板とを接続する底板とで構成されている。
【０００４】
また、所定の縁部に使用される部材は、建具の直線状の縁部における上面に配置される上板と、下面に配置される下板と、端面に沿って配置され上板と下板とを接続する底板とで構成されている。これらの部材は、ともに上板と下板との間の長さが、底板側よりも開放された側の方が短く設定されており、このため、上板と下板との開放側部分で建具の上下面を挟むようにして建具に取り付けることができる。
【特許文献１】特開２００２−２７４５６１号公報
【発明の開示】
【０００５】
このような建具が周囲の物と衝突した場合には、周縁部に傷が付き易い。しかしながら、前述した梱包材では、建具の周縁部全体を被覆することができないため、梱包材が取り付けられていない部分の保護が充分に行えないという問題がある。また、作業者が建具を手で持って運ぶ際に、梱包材を持つと、梱包材の位置がずれたり、梱包材が建具から外れたりすることがある。このため、作業者は建具における縁部が露出した部分を持って運ばなければならず、運搬作業がし難くなるという問題もある。
【０００６】
本発明は、前述した問題に対処するためになされたもので、その目的は、使用材料が少量で済み、板状物品に傷が付くことを確実に防止できるとともに、板状物品の持ち運びがし易くなる梱包材およびそれを用いた梱包方法を提供することである。
【０００７】
前述した目的を達成するため、本発明に係る梱包材の構成上の特徴は、板状物品の側端面側部分の少なくとも表裏面に沿って取り付けられる梱包材であって、板状物品の側端面側に位置する端部を側端面の縁部に合わせるかまたは側端面の縁部よりも外側に突出させた状態で取り付けられる帯状部と、板状物品の側端面に沿って取り付けられる端面保護部とを備えたことにある。
【０００８】
このように構成した本発明に係る梱包材は、板状物品の側端面側部分の表面および裏面に沿わせて取り付けることのできる帯状部を備えている。そして、その帯状部は、長手方向に沿った一方の端部を板状物品の側端面の縁部に合わせるかまたは側端面の縁部から外側に向けて突出させた状態で板状物品に取り付けることができる。したがって、周囲の物に衝突して傷が付き易い板状物品の側端面側部分の表面および裏面は帯状部によって囲まれるため衝撃等によって傷付くことがなくなる。また、板状物品の側端面には、端面保護部が取り付けられるため、板状物品の側端面が傷付くことも防止できる。
【０００９】
さらに、板状物品の表裏面と側端面との間の角部は、板状物品の側端面の縁部に位置する帯状部の端部または板状物品の側端部の縁部から突出した帯状部の端部と端面保護部とによって保護されて傷付くことを防止される。また、本発明に係る梱包材は長い帯状のもので構成しておき、板状物品の大きさに応じて対応する長さに切断して使用することができる。このため、この梱包材は、どのような大きさの板状物品の梱包にでも使用することができる。
【００１０】
なお、板状物品と梱包材とは、粘着テープ等の固定部材を用いて固定することが好ましく、板状物品が粘着テープ等を直接貼り付けることが好ましくないものであれば、板状物品をビニール袋等のシートで被覆した状態にして梱包材を取り付けることが好ましい。また、この梱包材によれば、材料の使用量が少なくて済むため取付け作業や取外し作業に要する時間を短縮できるとともに、再利用も可能であるため、廃棄する材料が減少するという利点も生じる。
【００１１】
また、本発明に係る梱包材の他の構成上の特徴は、帯状部が可撓性を備えた材料で構成され、板状物品の側端面側部分の底面および上端面のうちの少なくとも底面にも沿って取り付けられることにある。
【００１２】
このように構成した梱包材が備える帯状部は可撓性を有しているため、立て掛けた状態の板状物品の側端面側部分に、例えば、表面から底面、裏面へと各面に沿わせながら巻き付けるようにして取り付けることができる。したがって、梱包材が取り付けられた状態の板状物品を、作業者が手で持って運ぶ場合には、帯状部が板状物品の側端面側部分の周囲に巻き付けられるようにして取り付けられるため梱包材を持っても板状物品が梱包材から抜け落ちたり梱包材がずれたりすることがない。このため、作業者は、手で持つ部分を気にしながら選ぶ必要がなく、持ちやすい部分を持って板状物品を運ぶことができる。これによって、板状物品の持ち運びがし易くなる。
【００１３】
また、本発明に係る梱包材は、板状物品の側端面側部分の表裏面および底面にだけ沿うようにして取り付けてもよいし、表裏面、底面に加えて上端面にも沿うようにして板状物品の側端面側部分の周囲全体に取り付けてもよい。例えば、板状物品を所定の場所に立て掛けた状態で保管する場合には、板状物品の上端面には梱包材を沿わせなくともよい。また、例えば、板状物品を、工場等から板状物品が使用される現場等に運搬する場合には、板状物品の側端面側部分の周囲全体に梱包材を取り付けることが好ましい。
【００１４】
また、本発明に係る梱包材のさらに他の構成上の特徴は、帯状部における板状物品の底面に位置する部分の下面に所定の厚みを有する底面保護部を設けたことにある。これによると、雨等で床面が濡れている場合に、梱包材や板状物品が濡れることを防止できる。この場合の底面保護部は、両面テープ等で帯状部の外面に固定できるようにして、必要に応じて適宜、板状物品の底面に対応する部分に取り付けることが好ましい。
【００１５】
また、本発明に係る梱包材のさらに他の構成上の特徴は、板状物品の側端面側部分の下部側部分に取り付けられる下部梱包材と、板状物品の上部側部分に取り付けられる上部梱包材とで構成されることにある。これによると、梱包材を構成する材料をさらに減少させることができる。
【００１６】
また、本発明に係る梱包材のさらに他の構成上の特徴は、端面保護部が、帯状部の一面における長手方向の縁部に沿って設けられた突条で構成されていることにある。これによると、端面保護部を、板状物品の側端面における縁部側部分に沿わせながら梱包材を板状物品に取り付けることができる。このため、端面保護部が、板状物品に梱包材を取り付ける際のガイドになり、梱包材の取付け作業がさらに容易になる。また、梱包作業に要する時間を短縮することができコストの削減も可能になる。
【００１７】
また、本発明に係る梱包材のさらに他の構成上の特徴は、端面保護部が、帯状部の一面における長手方向の縁部に沿って所定間隔で設けられた複数の突部で構成されていることにある。これによると、端面保護部を構成する材料を減少することができるため、さらに低コスト化が図れる。また、この場合、端面保護部は、帯状部と一体的に構成してもよいし、両面テープ等を用いて帯状部に固定してもよい。端面保護部を両面テープ等で帯状部に固定する場合には、板状物品の大きさや形状等に応じて、必要な部分だけに端面保護部を取り付けることができる。これによって、端面保護部は、最小量で済むようになり無駄が無くなる。
【００１８】
また、本発明に係る梱包材のさらに他の構成上の特徴は、帯状部および端面保護部のうちの少なくとも帯状部を段ボールで構成し、段ボールの中芯の波型形状が帯状部の長手方向に沿った端面に現れるようにしたことにある。これによると、梱包材が折り曲げ易くなるため、梱包材を板状物品の角部に沿って折り曲げる場合には、梱包材が板状物品における取付け部分の全体に亘って密着した好ましい状態になる。また、段ボールは緩衝作用に優れているため板状物品の保護が確実に行える。さらに、端面保護部を板状物品の角部に対応する部分にも沿わせて梱包材を取り付ける場合には、端面保護部も段ボールで構成することが好ましい。
【００１９】
また、本発明に係る梱包材のさらに他の構成上の特徴は、板状物品が建具であることにある。これによると、建具を傷付き難く、運び易くした状態で梱包することができる。
【００２０】
本発明に係る梱包方法の構成上の特徴は、梱包材を用いて板状物品の梱包を行う梱包方法であって、板状物品をシート体で被覆する被覆工程と、シート体で被覆された板状物品の両側縁部に、梱包材を取り付ける梱包材取付工程と、板状物品の両側縁部に取り付けられたそれぞれの梱包材とシート体、または板状物品と板状物品の両側縁部に取り付けられた梱包材とを固定部材によって固定する固定工程とを備えたことにある。また、この場合、固定工程で行われる固定が、板状物品の両側縁部に取り付けられたそれぞれの梱包材とシート体との固定であり、固定部材が粘着テープであることが好ましい。
【００２１】
これによると、例えば、板状物品を表面が傷付き易い建具で構成しても表面に傷が付くことを防止できる。また、固定部材を粘着テープとした場合には、梱包材を段ボールで構成しても梱包材が傷まないため、再利用が可能になる。また、開梱の際には、粘着テープを剥がしたのちに、梱包材を取り外すだけですむため作業が簡単になる。なお、より強固な梱包が必要な場合には、固定部材をバンドや紐で構成し、板状物品の両側に取り付けられた両梱包材を縛ることもできる。
【００２２】
本発明に係る梱包方法の他の構成上の特徴は、梱包材を用いて梱包される板状物品が互いの表面または裏面を対面させて梱包される複数個のもので構成され、隣接する板状物品の側端面に端面保護部を位置させた状態で、隣接する板状物品間に帯状部を挟み込んだことにある。
【００２３】
この場合、隣接する板状物品間に挟み込む梱包材は、１個として一方の板状物品の側端面に端面保護部が位置するようにしてもよいし、２個の梱包材を端面保護部が外側に位置するように重ね、両方の板状物品の側端面にそれぞれ端面保護部が位置するようにしてもよい。これによると、複数個が１セットとして使用される板状部材を一つにまとめて梱包することができる。
【発明を実施するための最良の形態】
【００２４】
（第１実施形態）
以下、本発明の第１実施形態を図面を用いて説明する。図１は同実施形態に係る梱包材１０で建具１１を梱包した状態を示している。この建具１１は、例えば、家屋における部屋と部屋との間に設置され、両部屋間を開閉するための襖で構成されており、透明のビニール袋１２内に収容された状態で梱包材１０によって梱包されている。梱包材１０は、建具１１の両側端面側部分の表裏面および底面を包むようにして取り付けられており、図２に示したように構成されている。
【００２５】
すなわち、この梱包材１０は、段ボールからなっており、細長く形成された帯状部１３と、帯状部１３の一面における長手方向の一方の縁部に沿って形成された端面保護部１４とで構成されている。帯状部１３および端面保護部１４を構成する段ボールはともに厚みが３〜２０ｍｍ、好ましくは７〜１０ｍｍに設定されている。また、帯状部１３の幅は、３０〜１００ｍｍ、端面保護部１４の幅は１０〜２０ｍｍに設定されているが、これらの寸法は建具１１の大きさによって適宜変更される。
【００２６】
この梱包材１０は、段ボールの中芯１５の波型形状が長手方向の端面に現れるようにして帯状部１３と端面保護部１４とを２段に積層して接着により一体的に形成されている。この梱包材１０は長い帯状に形成されており、梱包する建具１１の大きさに応じて切断して使用される。また、所定の幅や長さに設定されたものを複数種類準備しておき、梱包する建具１１に応じて選択することもできる。この梱包材１０は、ビニール袋１２に覆われた建具１１に取り付けられたのちに、上下方向に所定間隔を保った部分が透明の粘着テープ１６によってビニール袋１２に固定されている。
【００２７】
このように構成された梱包材１０は、図３に示したようにして建具１１に取り付けられる。まず、建具１１にビニール袋１２を被せて、ビニール袋１２で建具１１を被覆する。つぎに、梱包材１０の長さを建具１１の梱包に適した長さに切断して、その梱包材１０を、端面保護部１４が内面側に位置した状態で建具１１の両縁端面１１ａ側部分の表裏面および底面に沿わせることのできるコ字状の形状に折り曲げる。この場合、梱包材１０を構成する段ボールの中芯１５が梱包材１０の長手方向に直交する線に沿って折り曲げ易い構造に構成されているため梱包材１０の折り曲げは容易に行える。
【００２８】
ついで、端面保護部１４を建具１１の側端面１１ａに沿わせるとともに、帯状部１３の一面を建具１１の表裏面および底面に沿わせるようにして、建具１１の両側部にそれぞれ梱包材１０を取り付ける。そして、両梱包材１０の周囲部分とビニール袋１２とを粘着テープ１６で固定することによって、図１に示したように建具１１が梱包材１０によって梱包された状態になる。この場合、建具１１の側端面１１ａ側部分の底面は、図４に示したように、梱包材１０によって囲まれた状態になる。
【００２９】
図５は、２個の建具１１を一方の表面と他方の裏面とを対面させた状態で並べて梱包した状態を示している。この場合、まず、２個の建具１１のうちの一方の建具１１（図５における左側に位置する建具１１）の側端面１１ａに端面保護部１４を沿わせた状態で両建具１１間に梱包材１０ａを挟み込む。この梱包材１０ａは、梱包材１０と同一のもので構成されており、下端部が建具１１の下端部よりも端面保護部１４の厚み分だけ上方に位置するようにして、２個の建具１１間に配置される。
【００３０】
つぎに、梱包材１０の端面保護部１４を２個の建具１１の両側端面１１ａの外周縁部に沿わせるとともに、帯状部１３を両建具１１の表裏面および底面に沿わせるようにして、組み合わされた２個の建具１１の両側部（図５は一方の側部側の側端面１１ａを示している。）にそれぞれ梱包材１０を取り付ける。そして、両梱包材１０の周囲部分とビニール袋１２とを粘着テープ１６でそれぞれ固定（固定された部分は図示せず）することによって、図５に示したように２個の建具１１が梱包材１０，１０ａによって梱包された状態になる。この場合、粘着テープ１６によって、梱包材１０ａの端面も固定される。
【００３１】
また、図６は、３個の建具１１をそれぞれ表面と裏面とを対面させた状態で並べて梱包した状態を示している。この場合、まず、３個の建具１１のうちの中央に位置する建具１１の側端面１１ａの両側縁部にそれぞれ端面保護部１４を沿わせた状態でその建具１１の表裏両面に梱包材１０ａを取り付ける。この場合も両梱包材１０ａは、下端部が建具１１の下端部よりも端面保護部１４の厚み分だけ上方に位置するようにして、それぞれの建具１１間に配置する。
【００３２】
つぎに、梱包材１０の端面保護部１４を３個の建具１１の側端面１１ａの外周縁部に沿わせるとともに、帯状部１３を組み合わされた３個の建具１１の表裏面および底面に沿わせるようにして、３個の建具１１の両側部（図６は一方の側部側の側端面１１ａを示している。）にそれぞれ梱包材１０を取り付ける。そして、両梱包材１０の周囲部分とビニール袋１２とを粘着テープ１６でそれぞれ固定（固定された部分は図示せず）することによって、図６に示したように３個の建具１１が梱包材１０，１０ａによって梱包された状態になる。この場合も、粘着テープ１６によって、２個の梱包材１０ａの端面が固定される。このようにして、梱包された１個または複数個の建具１１は、立て掛けた状態で保管場所に保管される。
【００３３】
このように、本実施形態に係る梱包材１０によれば、建具１１の梱包作業が極めて簡単になる。また、この梱包材１０は、建具１１の側端面１１ａ側部分の表面、底面および裏面の各面に沿わせた状態で取り付けることができるため、建具１１の側端面１１ａ側部分が衝撃等によって傷付くことを防止できる。さらに、建具１１の各面における梱包材１０によって被覆されていない部分は、凹部になって他の物と衝突し難くなっているとともに、ビニール袋１２によって被覆されている。このため、建具１１全体が傷が付き難くなっている。
【００３４】
また、梱包材１０で梱包された状態の建具１１を、作業者が運ぶ場合には、梱包材１０が建具１１の周囲を囲むようにして底面を支えるため、梱包材１０を持っても建具１１が梱包材１０から抜け落ちたり梱包材１０がずれたりすることがない。このため、作業者は、梱包材１０の任意の部分を持って建具１１を運ぶことができる。これによって、建具１１の持ち運びがし易くなる。
【００３５】
また、本実施形態に係る梱包材１０は長い帯状のもので構成しておき、建具１１の大きさに応じて切断して使用することができる。また、複数個の建具１１を並べて梱包する場合には、梱包材１０をさらに短く切断して梱包材１０ａを形成し、各建具１１間にこの梱包材１０ａを挟み込むことができる。このため、梱包材１０は、建具１１の大きさや使用する部分等に応じて切断することにより様々な使用が可能になる。
【００３６】
また、この梱包材１０によれば、材料の使用量が少なくなるため、使用後の梱包材１０を廃棄する場合には、廃棄物の量を減少させることができる。さらに、開梱のときの作業は、粘着テープ１６を剥がし、梱包材１０を外す等の簡単な作業ですむため、開梱作業に要する時間を短縮できる。また、梱包材１０とビニール袋１２との固定を粘着テープ１６を用いて行っているため、使用後の梱包材１０が破損することが殆ど生じない。このため、梱包材１０の再利用が可能になる。
【００３７】
（第２実施形態）
図７は、本発明の第２実施形態に係る梱包材２０を示している。この梱包材２０は、樹脂材料からなっており、細長く形成された可撓性を有する帯状部２３と、帯状部２３の一面における長手方向の一方の縁部に沿って所定間隔で形成された突部からなる複数の端面保護部２４とで構成されている。端面保護部２４は、直方体に形成された片材で構成され両面テープ（図示せず）によって、帯状部２３の所定部分に間隔を保って貼り付けられている。
【００３８】
図８に、この梱包材２０を用いて建具１１を梱包した状態を示している。この場合の梱包は、図４に示した建具１１の梱包と略等しい方法で行われるが、端面保護部２４の帯状部２３への貼り付けは、建具１１の大きさを基準として必要な部分に対して行う。すなわち、梱包材２０で建具１１を梱包したときに、帯状部２３に歪み等を生じさせない程度の間隔を保って最小個数の端面保護部２４を配置することが好ましい。
【００３９】
また、粘着テープとしては、梱包材２０が建具１１に取り付けられた状態で、建具１１の表面側に位置する帯状部２３と建具１１の裏面側に位置する帯状部２３とが広がることを防止するための粘着テープ１６ａと、建具１１の表裏面側におけるビニール袋１２と帯状部２３とをそれぞれ固定するための粘着テープ１６ｂとを用いている。この梱包材２０によると、端面保護部２４を構成する材料や、粘着テープ１６ａ，１６ｂの使用量を減少することができるため、さらに、低コスト化が図れる。この梱包材２０のそれ以外の作用効果については、前述した第１実施形態に係る梱包材１０と同様である。
【００４０】
（第３実施形態）
図９は、本発明の第３実施形態に係る梱包材３０を示している。この梱包材３０は、可撓性を有する帯状部３３と、片材で構成された複数の端面保護部３４（１個しか図示せず）と、四角平板状の底面保護部３７とで構成されている。帯状部３３は、段ボールを細長く形成したもので構成され、端面保護部３４は、樹脂材料を直方体に形成したもので構成されている。また底面保護部３７は、樹脂材料を所定の厚み（建具１１が保管される床面が雨等によって濡れても全体が水中に浸からない程度の厚みに適宜設定する。）にした下駄材で構成されている。
【００４１】
図１０に、この梱包材３０を用いて建具１１を梱包した状態を示している。この場合の梱包は、まず、帯状部３３の端部が建具１１の側端面１１ａの縁部よりも少し外部側に突出するようにして、帯状部３３を建具１１の側端面１１ａ側部分に取り付ける。ついで、側端面１１ａの所定部分に端面保護部３４を当て、端面保護部３４をその位置に粘着テープ１６ａで固定する。これによって、粘着テープ１６ａは、端面保護部３４を側端面１１ａの所定部分にビニール袋１２を介して固定するとともに、建具１１に取り付けられた状態の建具１１の表面側に位置する帯状部３３と建具１１の裏面側に位置する帯状部３３との間隔が広がることを防止する。
【００４２】
この端面保護部３４を側端面１１ａに所定間隔を保って複数個固定する。つぎに、粘着テープ１６ｂで、建具１１の表裏面側におけるビニール袋１２と帯状部３３とをそれぞれ固定する。そして、帯状部３３における建具１１の底面に対応する部分の下面に、両面テープで底面保護部３７を固定して、図１０に示した梱包が終了する。この梱包材３０によると、建具１１を保管する場所の床面が水で濡れていても、帯状部３３やビニール袋１２が濡れることを防止できる。また、水がビニール袋１２内に浸入して内部の建具１１を濡らすといったことも生じない。また、端面保護部３４としては、特に梱包材３０用に製造したものでなく、各種の材料の切れ端等を用いることもできる。このため、大幅な低コスト化が図れる。この梱包材３０のそれ以外の作用効果については、前述した第２実施形態に係る梱包材２０と同様である。
【００４３】
（第４実施形態）
図１１は、本発明の第４実施形態に係る上部梱包材１０ｂと下部梱包材１０ｃとでドアからなる建具２１を梱包した状態を示している。この上部梱包材１０ｂと下部梱包材１０ｃとは、梱包材１０と同一材料のもので構成され、ともにコ字状になるように屈曲した状態に折り曲げられている。そして、図１１に示したように、建具２１の両側部における上端面を含む上部側部分に取り付けられる２個の上部梱包材１０ｂと、建具２１の両側部における底面を含む下部側部分に取り付けられる２個の下部梱包材１０ｃとで１組の梱包材が構成されている。
【００４４】
上部梱包材１０ｂと下部梱包材１０ｃとは、建具２１の両側部に、それぞれ上下方向に所定間隔を保ち、その間にドアノブ等の突起物（図示せず）が位置するようにして取り付けられている。この実施形態におけるそれ以外の構成については、前述した第１実施形態と同様である。したがって、同一部分に同一符号を記している。このように構成された上部梱包材１０ｂと下部梱包材１０ｃによると、ドアのように突起物を備えた建具２１の梱包が容易に、かつ適正な状態で行える。また、建具２１の底面および上端面の保護も可能になる。この上部梱包材１０ｂと下部梱包材１０ｃとのそれ以外の作用効果については、前述した第１実施形態に係る梱包材１０と同様である。
【００４５】
（第５実施形態）
図１２は、本発明の第５実施形態に係る梱包材１０ｄで建具１１を梱包した状態を示している。この梱包材１０ｄは、梱包材１０と同一材料のもので構成され、建具１１の両側部における表面側部分と裏面側部分とに取り付けられた４個のもので１組の梱包材が構成されている。また、梱包材１０ｄの内面（建具１１側の面）には両面テープ（図示せず）が貼り付けられており、この両面テープによって、梱包材１０ｄは、建具１１を被覆したビニール袋１２に固定されている。この場合、建具１１の底面と上端面とには、梱包材１０ｄは設けられていない。
【００４６】
この梱包材１０ｄによると、梱包材１０ｄをビニール袋１２で被覆された建具１１の所定部分に位置決めする際に、梱包材１０ｄの固定も同時に行えるため、梱包材１０ｄの取り付けがさらに簡単になる。また、梱包された建具１１を持ち運びする際には、両面テープによって、梱包材１０ｄがビニール袋１２に強力に固定されているため、梱包材１０ｄを持っても建具１１がずれ落ちたり、梱包材１０ｄの位置がずれたりすることがない。この梱包材１０ｄのそれ以外の作用効果については、前述した第１実施形態に係る梱包材１０等と同様である。
【００４７】
また、本発明に係る梱包材は、前述した各実施形態に限定するものでなく、適宜変更することができる。例えば、前述した各実施形態では、板状物品を建具１１，２１としているが、この板状物品は、建具、ドアに限定するものでなく、板状のもので傷が付くことから防止するために梱包が必要または梱包することが好ましいものであればよい。例えば、建材や組立式の板材等でもよく、材質としても木製に限らず金属製や樹脂製のもの等でもよい。また、前述した各実施形態では、建具１１，２１をビニール袋１２で被った状態で梱包材１０等を取り付けているが、板状物品が表面部を保護する必要のないものであれば、このビニール袋１２は省略することもできる。
【００４８】
さらに、前述した第１，第２，第３，第５実施形態では、建具１１の上端面を開放した状態にしているが、建具１１を、運搬する場合や、板状物品が建具１１以外のもので床面に倒した状態で保管する場合等には、板状物品の側端面側部分の周囲全体に梱包材１０等を取り付けることが好ましい。また、第４実施形態に係る梱包材は、上下に分かれた上部梱包材１０ｂと下部梱包材１０ｃとで構成されているが、これをさらに分割して必要部分だけに設けるようにしてもよい。同様に、第１、第２、第３、第５実施形態で用いた梱包材１０，２０，３０，１０ｄも複数個に分割して必要部分だけに設けることができる。
【００４９】
また、前述した各実施形態では、固定部材を粘着テープ１６等としているが、これに代えて接着剤、プラスチック製のバンド、ロープ、紐等を用いてもよい。これによると、より強固な梱包が可能になる。さらに、梱包材３０以外の梱包材１０等に底面保護部を設けることもできる。また、底面保護部を構成する材料としては、樹脂材料以外であっても耐水性のある材料であれば使用できる。また、梱包材１０等を構成する材料としても段ボールや樹脂材料以外のものの使用もでき、発泡スチロール等の発泡材、スポンジ等や、それらを組み合わせたものを使用することができる。また、帯状部と端面保護部としても他の部材からなるものを貼り付けて梱包材を形成したり、一体成形からなる部材で梱包材を形成したりすることができる。
【００５０】
さらに、梱包材１０ａ，１０ｄのように屈曲させて使用しないものについては、可撓性のない材料のものを使用することができ、他の屈曲させて使用する梱包材１０等については、可撓性を有するもので梱包材として相応しい材料であればどのようなものでも使用することができる。また、本発明に係る梱包材の各構成する部分や材料等は適宜組み合わせを変更して実施することができる。この発明に係る梱包材および梱包方法のそれ以外の部分の構成についても本発明の技術的範囲内で適宜変更して実施することが可能である。
【図面の簡単な説明】
【００５１】
【図１】本発明の第１実施形態に係る梱包材で建具を梱包した状態を示す斜視図である。
【図２】梱包材を示す斜視図である。
【図３】梱包材で建具を梱包する状態を示す斜視図である。
【図４】建具の下端部の梱包状態を示す一部切り欠き斜視図である。
【図５】２個の建具を並べて梱包した状態を示す一部切り欠き側面図である。
【図６】３個の建具を並べて梱包した状態を示す一部切り欠き側面図である。
【図７】本発明の第２実施形態に係る梱包材を示す斜視図である。
【図８】図７に示した梱包材で建具を梱包した状態を示す一部切り欠き斜視図である。
【図９】本発明の第３実施形態に係る梱包材を示す斜視図である。
【図１０】図９に示した梱包材で建具を梱包した状態を示す一部切り欠き斜視図である。
【図１１】本発明の第４実施形態に係る梱包材で建具を梱包した状態を示す斜視図である。
【図１２】本発明の第５実施形態に係る梱包材で建具を梱包した状態を示す斜視図である。
【符号の説明】
【００５２】
１０，１０ａ，１０ｄ，２０，３０…梱包材、１０ｂ…上部梱包材、１０ｃ…下部梱包材、１１，２１…建具、１１ａ…側端面、１２…ビニール袋、１３，２３，３３…帯状部、１４，２４，３４…端面保護部、１５…中芯、１６，１６ａ，１６ｂ…粘着テープ、３７…底面保護部。
【図１】
2006143287.tif 000003
【図２】
2006143287.tif 000004
【図３】
2006143287.tif 000005
【図４】
2006143287.tif 000006
【図５】
2006143287.tif 000007
【図６】
2006143287.tif 000008
【図７】
2006143287.tif 000009
【図８】
2006143287.tif 000010
【図９】
2006143287.tif 000011
【図１０】
2006143287.tif 000012
【図１１】
2006143287.tif 000013
【図１２】
2006143287.tif 000014